(57)【要約】【課題】  ＵＨＦ帯及びマイクロ波帯などの高い周波数帯を用いた場合でも、読み取り対象としているタグだけを確実に読み取ることが可能なＲＦＩＤシステム及びこれを用いた入退室管理システムを提供することを目的とする。【解決手段】  リーダ受信部が受信したＲＦＩＤタグからの返信波が複数有り衝突したとき、リーダ送信部がＲＦＩＤタグへ送信する質問波の送信エリアを狭めさせる送信制御をリーダ送信部に対して行うリーダ制御部を備えたこと特徴とするＲＦＩＤシステム及びこれを用いた入退室管理システム。【選択図】        図１
2012203835.tif 000002
【特許請求の範囲】
【請求項１】
ＲＦＩＤリーダから質問波を送信して、前記質問波を受信したＲＦＩＤタグが算出した占有期間に返信波を前記ＲＦＩＤリーダへ返信するようにしたアンチコリジョン機能であるタイムロット方式を用いるＲＦＩＤシステムにおいて、前記ＲＦＩＤリーダに設けられ、前記ＲＦＩＤタグが単一の占有期間の算出するように指示する占有期間の算出指示情報を含む質問波を前記ＲＦＩＤタグへ送信するリーダ送信部と、前記ＲＦＩＤタグに設けられ、前記算出指示情報を含む質問波を受信するタグ受信部と、前記ＲＦＩＤタグに設けられ、前記タグ受信部が受信した前記算出指示情報から、前記単一の占有期間の算出し、その占有期間に前記ＲＦＩＤリーダへ前記ＲＦＩＤタグのＩＤ情報を有する返信波を返信するタグ送信部と、前記ＲＦＩＤリーダに設けられ、前記ＲＦＩＤタグのＩＤ情報を有する返信波を受信するリーダ受信部と、このリーダ受信部が前記単一の占有期間に単一の前記返信波を受信したとき、その受信された返信波に含まれるＩＤ情報を読み取り、前記リーダ受信部が受信した前記返信波が前記単一の占有期間に衝突したとき、前記ＲＦＩＤタグが単一の占有期間の算出するように指示する占有期間の算出指示情報を含む質問波の送信エリアを狭めさせる送信制御を前記リーダ送信部に対して行うリーダ制御部とを備えたこと特徴とするＲＦＩＤシステム。
【請求項２】
ＲＦＩＤリーダから質問波を送信して、前記質問波を受信したＲＦＩＤタグが、前記質問波に含まれる占有期間の算出指示情報から、前記ＲＦＩＤリーダへ返信する返信波の返信する占有期間を前記ＲＦＩＤタグが算出して、その算出された占有期間に返信波を前記ＲＦＩＤリーダに返信して、前記ＲＦＩＤリーダが同じ占有期間に複数の前記返信波を受信したときに衝突が生じたとして、再度、占有期間の算出指示情報を含む質問波を送信するＲＦＩＤシステムにおいて、前記ＲＦＩＤリーダに設けられ、前記ＲＦＩＤタグが単一の占有期間の算出するように指示する占有期間の算出指示情報を含む質問波を前記ＲＦＩＤタグへ送信するリーダ送信部と、前記ＲＦＩＤタグに設けられ、前記算出指示情報を含む質問波を受信するタグ受信部と、前記ＲＦＩＤタグに設けられ、前記タグ受信部が受信した前記算出指示情報から、前記単一の占有期間の算出し、その占有期間に前記ＲＦＩＤリーダへ前記ＲＦＩＤタグのＩＤ情報を有する返信波を返信するタグ送信部と、前記ＲＦＩＤリーダに設けられ、前記ＲＦＩＤタグのＩＤ情報を有する返信波を受信するリーダ受信部と、このリーダ受信部が前記単一の占有期間に単一の前記返信波を受信したとき、その受信された返信波に含まれるＩＤ情報を読み取り、前記リーダ受信部が受信した前記返信波が前記単一の占有期間に衝突したとき、前記ＲＦＩＤタグが単一の占有期間の算出するように指示する占有期間の算出指示情報を含む質問波の送信エリアを狭めさせる送信制御を前記リーダ送信部に対して行うリーダ制御部とを備えたこと特徴とするＲＦＩＤシステム。
【請求項３】
ＲＦＩＤタグのＩＤ情報を構成するコードのうち、先頭ビットの情報から順に得るためにＲＦＩＤリーダから質問波を送信して、前記質問波を受信したＲＦＩＤタグが返信波を前記ＲＦＩＤリーダへ返信するアンチコリジョン機能であるバイナリツリー方式を用いるＲＦＩＤシステムにおいて、前記ＲＦＩＤリーダに設けられ、前記ＲＦＩＤタグが前記ＲＦＩＤタグのＩＤ情報を構成するコードのうち、先頭ビットの情報を有する返信波を前記ＲＦＩＤリーダへ返信させる指示情報である質問波を前記ＲＦＩＤタグへ送信するリーダ送信部と、前記ＲＦＩＤタグに設けられ、前記指示情報である質問波を受信するタグ受信部と、前記ＲＦＩＤタグに設けられ、前記タグ受信部が受信した前記指示情報から、前記ＲＦＩＤリーダへ前記ＲＦＩＤタグのＩＤ情報を構成するコードのうち、先頭ビットの情報を有する返信波を返信するタグ送信部と、前記ＲＦＩＤリーダに設けられ、前記ＲＦＩＤタグのＩＤ情報を構成するコードのうち、先頭ビットの情報を有する返信波を受信するリーダ受信部と、このリーダ受信部が単一の前記返信波を受信したとき、その受信された返信波を送信した前記ＲＦＩＤタグへそのＩＤ情報を返信波に乗せて返信させるＩＤ返信指示情報を有する質問波を前記リーダ送信部に送信させて、前記ＩＤ返信指示情報に基づいて前記ＲＦＩＤタグがそのＩＤ情報を有する返信波を返信して前記リーダ受信部が受信したその返信波から、前記ＲＦＩＤタグのＩＤ情報を読み取り、前記リーダ受信部が受信した前記返信波が衝突したとき、前記ＲＦＩＤタグのＩＤ情報を構成するコードのうち、先頭ビットの情報を有する返信波を前記ＲＦＩＤリーダへ返信させる指示情報である質問波の送信エリアを狭めさせる送信制御を前記リーダ送信部に対して行うリーダ制御部とを備えたこと特徴とするＲＦＩＤシステム。
【請求項４】
ＲＦＩＤリーダから質問波を送信して、前記質問波を受信したＲＦＩＤタグが前記ＲＦＩＤタグのＩＤ情報を構成するコードのうち、少なくとも一部を有する返信波を前記ＲＦＩＤリーダへ返信するＲＦＩＤシステムであって、前記ＲＦＩＤリーダに設けられ、前記ＲＦＩＤタグが前記ＲＦＩＤタグのＩＤ情報を構成するコードのうち、少なくとも一部を有する返信波を前記ＲＦＩＤリーダへ返信させる指示情報である質問波を前記ＲＦＩＤタグへ送信するリーダ送信部と、前記ＲＦＩＤタグに設けられ、前記指示情報である質問波を受信するタグ受信部と、前記ＲＦＩＤタグに設けられ、前記タグ受信部が受信した前記指示情報から、前記ＲＦＩＤリーダへ前記ＲＦＩＤタグのＩＤ情報を構成するコードのうち、少なくとも一部を有する返信波を返信するタグ送信部と、前記ＲＦＩＤリーダに設けられ、前記ＲＦＩＤタグのＩＤ情報を構成するコードのうち、少なくとも一部を有する返信波を受信するリーダ受信部と、このリーダ受信部が単一の前記返信波を受信したとき、その受信された返信波を送信した前記ＲＦＩＤタグへそのＩＤ情報を返信波に乗せて返信させるＩＤ返信指示情報を有する質問波を前記リーダ送信部に送信させて、前記ＩＤ返信指示情報に基づいて前記ＲＦＩＤタグがそのＩＤ情報を有する返信波を返信して前記リーダ受信部が受信したその返信波から、前記ＲＦＩＤタグのＩＤ情報を読み取り、前記リーダ受信部が受信した前記返信波が衝突したとき、前記ＲＦＩＤタグのＩＤ情報を構成するコードのうち、少なくとも一部を有する返信波を前記ＲＦＩＤリーダへ返信させる指示情報である質問波の送信エリアを狭めさせる送信制御を前記リーダ送信部に対して行うリーダ制御部とを備えたこと特徴とするＲＦＩＤシステム。
【請求項５】
ＲＦＩＤリーダから質問波を送信して、前記質問波を受信したＲＦＩＤタグが前記ＲＦＩＤタグのＩＤ情報を有する返信波を前記ＲＦＩＤリーダへ返信するＲＦＩＤシステムにおいて、前記ＲＦＩＤリーダに設けられ、前記ＲＦＩＤタグが前記ＲＦＩＤタグのＩＤ情報を有する返信波を前記ＲＦＩＤリーダへ返信させる指示情報である質問波を前記ＲＦＩＤタグへ送信するリーダ送信部と、前記ＲＦＩＤタグに設けられ、前記指示情報である質問波を受信するタグ受信部と、前記ＲＦＩＤタグに設けられ、前記タグ受信部が受信した前記指示情報から、前記ＲＦＩＤリーダへ前記ＲＦＩＤタグのＩＤ情報を有する返信波を返信するタグ送信部と、前記ＲＦＩＤリーダに設けられ、前記ＲＦＩＤタグのＩＤ情報を有する返信波を受信するリーダ受信部と、このリーダ受信部が単一の前記返信波を受信したとき、その受信された返信波からＩＤ情報を読み取り、前記リーダ受信部が受信した前記返信波が衝突したとき、前記ＲＦＩＤタグのＩＤ情報を有する返信波を前記ＲＦＩＤリーダへ返信させる指示情報である質問波の送信エリアを狭めさせる送信制御を前記リーダ送信部に対して行うリーダ制御部とを備えたこと特徴とするＲＦＩＤシステム。
【請求項６】
請求項５に記載のＲＦＩＤシステムは、前記リーダ送信部が、前記指示情報に前記ＲＦＩＤタグが単一の占有期間で返信波を返信するように指示する期間指示情報を含む質問波を前記ＲＦＩＤタグへ送信し、前記タグ送信部が、前記タグ受信部が受信した前記指示情報に含まれる前記期間指示情報から、前記単一の占有期間に前記ＲＦＩＤリーダへ前記ＲＦＩＤタグのＩＤ情報を有する返信波を返信するものであるＲＦＩＤシステム。
【請求項７】
前記リーダ制御部は、送信エリアを狭めて送信した質問波を受信した前記ＲＦＩＤタグからの返信波が衝突したとき、質問波の送信エリアをさらに狭めさせる送信制御を前記リーダ送信部に対して行うものである請求項１〜６のいずれかに記載のＲＦＩＤシステム。
【請求項８】
前記リーダ制御部は、前記リーダ受信部が前記返信波を受信しないとき、質問波の送信エリアを拡げる送信制御を前記リーダ送信部に対して行うものである請求項１〜７のいずれかに記載のＲＦＩＤシステム。
【請求項９】
前記送信制御は、前記リーダ送信部に質問波の送信電力を変更するものである請求項１〜８のいずれかに記載のＲＦＩＤシステム。
【請求項１０】
前記送信制御は、前記リーダ送信部に、質問波の送信ビームパターンのビーム幅を変更するものである請求項１〜８のいずれかに記載のＲＦＩＤシステム。
【請求項１１】
請求項１〜１０のいずれかに記載のＲＦＩＤシステムを用いた入退室管理システムであって、一のエリアと二のエリアとを仕切る仕切り部と、この仕切り部の開錠と施錠とを行う鍵開閉制御部と、前記ＲＦＩＤタグのＩＤ情報ごとに前記仕切り部の開錠の可能・不可能が記憶された記憶部と、前記リーダ制御部が読み取った前記ＲＦＩＤタグのＩＤ情報が、前記記憶部に記憶されているものであり、前記仕切り部の開錠の可能なものと記憶されていると判定した場合は前記鍵開閉制御部を開錠させる入退室制御部とを備えた入退室管理システム。
【請求項１２】
前記入退室制御部は、前記リーダ制御部が読み取った前記ＲＦＩＤタグのＩＤ情報が前記記憶部に記憶され、かつ、前記仕切り部の開錠の不可能なものと記憶されていると判定した場合は、前記リーダ送信部から、前記仕切り部の開錠の不可能なものと記憶されているＩＤ情報を有するＲＦＩＤタグへ、所定の時間において質問波に対する応答波を出さないスリープ状態に遷移させるスリープ指示情報を含む送信波を送信させるものである請求項１１に記載の入退室管理システム。
【請求項１３】
前記リーダ制御部は、前記リーダ送信部が、前記仕切り部の開錠の不可能なものと記憶されているＩＤ情報を有するＲＦＩＤタグへ、所定の時間において質問波に対する応答波を出さないスリープ状態に遷移させるスリープ指示情報を含む送信波を前記仕切り部の開錠の不可能なものと記憶されているＩＤ情報を有するＲＦＩＤタグへ送信した後、前記仕切り部の開錠の不可能なものと記憶されているＩＤ情報を有するＲＦＩＤタグの返信波を返信させた質問波の送信エリアよりも広い送信エリアに、質問波を送信させる送信制御を前記リーダ送信部に対して行うものである請求項１２に記載の入退室管理システム。
【請求項１４】
請求項１１に記載の入退室管理システムは、音又は光を発する報知部を備え、前記入退室制御部が、前記リーダ制御部が読み取った前記ＲＦＩＤタグのＩＤ情報が前記記憶部に記憶され、かつ、前記仕切り部の開錠の不可能なものと記憶されている判定した場合は、前記報知部から音又は光を発するものである入退室管理システム。
【発明の詳細な説明】
【技術分野】
【０００１】
この発明は、Ｒａｄｉｏ＿Ｆｒｅｑｕｅｎｃｙ＿ＩＤｅｎｔｉｆｉｃａｔｉｏｎ（以下、ＲＦＩＤと称す）タグの誤読を防止するための読み取り方式を特徴とするＲＦＩＤシステム及びこれを用いた入退室管理システムに関するものである。
【背景技術】
【０００２】
ＲＦＩＤシステムは、ＩＣチップを備えたＲＦＩＤタグとＲＦＩＤリーダライタ（ＲＦＩＤリーダ）との間で無線通信を行うシステムである。ＲＦＩＤタグには、バッテリーを搭載し、その電力で駆動するアクティブ型タグと、ＲＦＩＤリーダライタからの電力を受けて、これを電源とし駆動するパッシブ型タグがある。アクティブ型はパッシブ型に比べ、バッテリーを搭載しているため、通信距離、通信の安定度などのメリットがある反面、構造の複雑化、サイズの大型化、高コストなどのデメリットもある。
【０００３】
半導体技術の向上により、パッシブ型タグ用ＩＣチップの小型化、高性能化が進み、パッシブ型タグの幅広い分野での使用が期待されている。パッシブ型タグにおいて、周波数帯が長波帯、短波帯のＲＦＩＤタグで適用されている電磁誘導方式では、ＲＦＩＤリーダライタの送信アンテナコイルとＲＦＩＤタグのアンテナコイルとの間の電磁誘導作用でＲＦＩＤタグに電圧が誘起され、この電圧によりＩＣチップを起動して通信を可能としている。したがって、ＲＦＩＤリーダライタによる誘導電磁界内でＲＦＩＤタグが動作し、通信距離は数十ｃｍ程度という特性を有している。
【０００４】
一方、ＵＨＦ帯及びマイクロ波帯などの高い周波数帯を用いたＲＦＩＤタグでは、電波通信方式が適用されており、電波によりＲＦＩＤタグのＩＣチップに電力を供給しているため、通信距離は１〜７ｍ程度と大幅に向上している。したがって、通信距離の短い長波帯、短波帯のＲＦＩＤシステムでは実現が困難であった複数枚のＲＦＩＤタグの同時読み取り（実際は、後述のアンチコリジョン機能により順次読み取っている）や移動しているＲＦＩＤタグの読み取りなどが可能となり、その利用範囲は、大幅に広がると考えられる。このような特性から、ＵＨＦ帯及びマイクロ波帯などの高い周波数帯を用いたＲＦＩＤシステムは、タッチレス入退室管理システムなどの構築に重要なキーパーツとなってきている。
【０００５】
従来のＲＦＩＤシステムを用いた入退室管理システムや監視システムには、人の接近を検出することが可能な人感センサと連動させたもの（例えば、特許文献１）や人感センサ（人体検知装置）の感応領域（検知範囲）内にＲＦＩＤリーダの送信領域（検知範囲）を包含させて、ＲＦＩＤリーダが使用する電力を減じるようにしたものがある（例えば、特許文献２参照）。
【０００６】
従来のＲＦＩＤシステムには、客が入退室する万引き防止システムのゲートへの適用を前提とした、複数枚のＲＦＩＤタグの同時読み取りを行う際のＲＦＩＤタグからの返信が混信することを避けるためのバイナリツリー方式やタイムスロット方式などのアンチコリジョン機能を使用又は応用したものがある（例えば、特許文献３）。特に、タイムスロット方式において、タイムスロット数を事前に設定するものもある（例えば、特許文献４）。バイナリツリー方式やタイムスロット方式のアンチコリジョン機能に関しては、特許文献３及び４に説明が記載されている。また、タイムスロット方式のアンチコリジョン機能に関しては、特許文献５にも記載されている。なお、ＲＦＩＤタグからの返信が混信することを避けるための技術としては、他にＲＦＩＤリーダライタからの質問の電波の強さを変化させるものがある（例えば、特許文献６）。また、特許文献７には、ＵＨＦ帯及びマイクロ波帯などの高い周波数帯を用いたＲＦＩＤシステムにおいて好適な指向性を変化させるものが開示されている。
【先行技術文献】
【特許文献】
【０００７】
【特許文献１】特開２００６−１０７３６２号公報（特に、第１図、第４図）
【特許文献２】特開２００６−３５２７０３号公報（特に、第１図、）
【特許文献３】特開２００９−１４１８１６号公報（特に、第１図〜第４図、段落番号［０００３］〜［０００７］，［００１７］〜［００３５］）
【特許文献４】特開２００７−２２１３４８号公報（特に、第１図、段落番号［０００４］〜［０００８］，［００１５］〜［００６３］）
【特許文献５】特開２０１１−０３９７３０号公報（特に、第１図〜第５図）
【特許文献６】特開２００９−０１７２９１号公報（特に、第１図〜第４図）
【特許文献７】国際公開第２００５／１２５０３２号の再公表公報（特に、第１図，第３図〜第１２図）
【発明の概要】
【発明が解決しようとする課題】
【０００８】
しかし、従来のＲＦＩＤシステムやこれを用いた入退室管理システム（監視システム）では、ＵＨＦ帯及びマイクロ波帯などの高い周波数帯を用いた場合、長距離通信が可能なことが災いし、読み取り対象としているタグの付近にあるタグ（入退室管理システムにおいては、入場又は退場の意志がない人が保有するタグ）までを誤って読み取ってしまうという課題があった。また、特許文献２に記載のＲＦＩＤシステムと人感センサ（人体検知装置）とを用いたものは、ＵＨＦ帯及びマイクロ波帯などの高い周波数帯を用いた場合を考慮していないので、上記課題を解決する手段や示唆の開示はなく、人感センサ（人体検知装置）の感応領域よりも、ＲＦＩＤリーダの送信領域（検知範囲）が広い場合の開示もない。また、一般的に人感センサ（人体検知装置）の感応領域に対応させたＲＦＩＤリーダの送信領域（検知範囲）を構築することは、ＵＨＦ帯及びマイクロ波帯などの高い周波数帯の電波の性質上困難である。
【０００９】
この発明は、上記のような課題を解消するためになされたもので、ＵＨＦ帯及びマイクロ波帯などの高い周波数帯を用いた場合でも、読み取り対象としているタグだけを確実に読み取ることが可能なＲＦＩＤシステム及びこれを用いた入退室管理システムを提供することを目的とする。
【課題を解決するための手段】
【００１０】
請求項１の発明に係るＲＦＩＤシステムは、ＲＦＩＤリーダから質問波を送信して、前記質問波を受信したＲＦＩＤタグが算出した占有期間に返信波を前記ＲＦＩＤリーダへ返信するようにしたアンチコリジョン機能であるタイムロット方式を用いるＲＦＩＤシステムにおいて、前記ＲＦＩＤリーダに設けられ、前記ＲＦＩＤタグが単一の占有期間の算出するように指示する占有期間の算出指示情報を含む質問波を前記ＲＦＩＤタグへ送信するリーダ送信部と、前記ＲＦＩＤタグに設けられ、前記算出指示情報を含む質問波を受信するタグ受信部と、前記ＲＦＩＤタグに設けられ、前記タグ受信部が受信した前記算出指示情報から、前記単一の占有期間の算出し、その占有期間に前記ＲＦＩＤリーダへ前記ＲＦＩＤタグのＩＤ情報を有する返信波を返信するタグ送信部と、前記ＲＦＩＤリーダに設けられ、前記ＲＦＩＤタグのＩＤ情報を有する返信波を受信するリーダ受信部と、このリーダ受信部が前記単一の占有期間に単一の前記返信波を受信したとき、その受信された返信波に含まれるＩＤ情報を読み取り、前記リーダ受信部が受信した前記返信波が前記単一の占有期間に衝突したとき、前記ＲＦＩＤタグが単一の占有期間の算出するように指示する占有期間の算出指示情報を含む質問波の送信エリアを狭めさせる送信制御を前記リーダ送信部に対して行うリーダ制御部とを備えたこと特徴とするものである。
【００１１】
請求項２の発明に係るＲＦＩＤシステムは、ＲＦＩＤリーダから質問波を送信して、前記質問波を受信したＲＦＩＤタグが、前記質問波に含まれる占有期間の算出指示情報から、前記ＲＦＩＤリーダへ返信する返信波の返信する占有期間を前記ＲＦＩＤタグが算出して、その算出された占有期間に返信波を前記ＲＦＩＤリーダに返信して、前記ＲＦＩＤリーダが同じ占有期間に複数の前記返信波を受信したときに衝突が生じたとして、再度、占有期間の算出指示情報を含む質問波を送信するＲＦＩＤシステムにおいて、前記ＲＦＩＤリーダに設けられ、前記ＲＦＩＤタグが単一の占有期間の算出するように指示する占有期間の算出指示情報を含む質問波を前記ＲＦＩＤタグへ送信するリーダ送信部と、前記ＲＦＩＤタグに設けられ、前記算出指示情報を含む質問波を受信するタグ受信部と、前記ＲＦＩＤタグに設けられ、前記タグ受信部が受信した前記算出指示情報から、前記単一の占有期間の算出し、その占有期間に前記ＲＦＩＤリーダへ前記ＲＦＩＤタグのＩＤ情報を有する返信波を返信するタグ送信部と、前記ＲＦＩＤリーダに設けられ、前記ＲＦＩＤタグのＩＤ情報を有する返信波を受信するリーダ受信部と、このリーダ受信部が前記単一の占有期間に単一の前記返信波を受信したとき、その受信された返信波に含まれるＩＤ情報を読み取り、前記リーダ受信部が受信した前記返信波が前記単一の占有期間に衝突したとき、前記ＲＦＩＤタグが単一の占有期間の算出するように指示する占有期間の算出指示情報を含む質問波の送信エリアを狭めさせる送信制御を前記リーダ送信部に対して行うリーダ制御部とを備えたこと特徴とするものである。
【００１２】
請求項３の発明に係るＲＦＩＤシステムは、ＲＦＩＤタグのＩＤ情報を構成するコードのうち、先頭ビットの情報から順に得るためにＲＦＩＤリーダから質問波を送信して、前記質問波を受信したＲＦＩＤタグが返信波を前記ＲＦＩＤリーダへ返信するアンチコリジョン機能であるバイナリツリー方式を用いるＲＦＩＤシステムにおいて、前記ＲＦＩＤリーダに設けられ、前記ＲＦＩＤタグが前記ＲＦＩＤタグのＩＤ情報を構成するコードのうち、先頭ビットの情報を有する返信波を前記ＲＦＩＤリーダへ返信させる指示情報である質問波を前記ＲＦＩＤタグへ送信するリーダ送信部と、前記ＲＦＩＤタグに設けられ、前記指示情報である質問波を受信するタグ受信部と、前記ＲＦＩＤタグに設けられ、前記タグ受信部が受信した前記指示情報から、前記ＲＦＩＤリーダへ前記ＲＦＩＤタグのＩＤ情報を構成するコードのうち、先頭ビットの情報を有する返信波を返信するタグ送信部と、前記ＲＦＩＤリーダに設けられ、前記ＲＦＩＤタグのＩＤ情報を構成するコードのうち、先頭ビットの情報を有する返信波を受信するリーダ受信部と、このリーダ受信部が単一の前記返信波を受信したとき、その受信された返信波を送信した前記ＲＦＩＤタグへそのＩＤ情報を返信波に乗せて返信させるＩＤ返信指示情報を有する質問波を前記リーダ送信部に送信させて、前記ＩＤ返信指示情報に基づいて前記ＲＦＩＤタグがそのＩＤ情報を有する返信波を返信して前記リーダ受信部が受信したその返信波から、前記ＲＦＩＤタグのＩＤ情報を読み取り、前記リーダ受信部が受信した前記返信波が衝突したとき、前記ＲＦＩＤタグのＩＤ情報を構成するコードのうち、先頭ビットの情報を有する返信波を前記ＲＦＩＤリーダへ返信させる指示情報である質問波の送信エリアを狭めさせる送信制御を前記リーダ送信部に対して行うリーダ制御部とを備えたこと特徴とするものである。
【００１３】
請求項４の発明に係るＲＦＩＤシステムは、ＲＦＩＤリーダから質問波を送信して、前記質問波を受信したＲＦＩＤタグが前記ＲＦＩＤタグのＩＤ情報を構成するコードのうち、少なくとも一部を有する返信波を前記ＲＦＩＤリーダへ返信するＲＦＩＤシステムであって、前記ＲＦＩＤリーダに設けられ、前記ＲＦＩＤタグが前記ＲＦＩＤタグのＩＤ情報を構成するコードのうち、少なくとも一部を有する返信波を前記ＲＦＩＤリーダへ返信させる指示情報である質問波を前記ＲＦＩＤタグへ送信するリーダ送信部と、前記ＲＦＩＤタグに設けられ、前記指示情報である質問波を受信するタグ受信部と、前記ＲＦＩＤタグに設けられ、前記タグ受信部が受信した前記指示情報から、前記ＲＦＩＤリーダへ前記ＲＦＩＤタグのＩＤ情報を構成するコードのうち、少なくとも一部を有する返信波を返信するタグ送信部と、前記ＲＦＩＤリーダに設けられ、前記ＲＦＩＤタグのＩＤ情報を構成するコードのうち、少なくとも一部を有する返信波を受信するリーダ受信部と、このリーダ受信部が単一の前記返信波を受信したとき、その受信された返信波を送信した前記ＲＦＩＤタグへそのＩＤ情報を返信波に乗せて返信させるＩＤ返信指示情報を有する質問波を前記リーダ送信部に送信させて、前記ＩＤ返信指示情報に基づいて前記ＲＦＩＤタグがそのＩＤ情報を有する返信波を返信して前記リーダ受信部が受信したその返信波から、前記ＲＦＩＤタグのＩＤ情報を読み取り、前記リーダ受信部が受信した前記返信波が衝突したとき、前記ＲＦＩＤタグのＩＤ情報を構成するコードのうち、少なくとも一部を有する返信波を前記ＲＦＩＤリーダへ返信させる指示情報である質問波の送信エリアを狭めさせる送信制御を前記リーダ送信部に対して行うリーダ制御部とを備えたこと特徴とするものである。
【００１４】
請求項５の発明に係るＲＦＩＤシステムは、ＲＦＩＤリーダから質問波を送信して、前記質問波を受信したＲＦＩＤタグが前記ＲＦＩＤタグのＩＤ情報を有する返信波を前記ＲＦＩＤリーダへ返信するＲＦＩＤシステムにおいて、前記ＲＦＩＤリーダに設けられ、前記ＲＦＩＤタグが前記ＲＦＩＤタグのＩＤ情報を有する返信波を前記ＲＦＩＤリーダへ返信させる指示情報である質問波を前記ＲＦＩＤタグへ送信するリーダ送信部と、前記ＲＦＩＤタグに設けられ、前記指示情報である質問波を受信するタグ受信部と、前記ＲＦＩＤタグに設けられ、前記タグ受信部が受信した前記指示情報から、前記ＲＦＩＤリーダへ前記ＲＦＩＤタグのＩＤ情報を有する返信波を返信するタグ送信部と、前記ＲＦＩＤリーダに設けられ、前記ＲＦＩＤタグのＩＤ情報を有する返信波を受信するリーダ受信部と、このリーダ受信部が単一の前記返信波を受信したとき、その受信された返信波からＩＤ情報を読み取り、前記リーダ受信部が受信した前記返信波が衝突したとき、前記ＲＦＩＤタグのＩＤ情報を有する返信波を前記ＲＦＩＤリーダへ返信させる指示情報である質問波の送信エリアを狭めさせる送信制御を前記リーダ送信部に対して行うリーダ制御部とを備えたこと特徴とするものである。
【００１５】
請求項６の発明に係るＲＦＩＤシステムは、前記リーダ送信部が、前記指示情報に前記ＲＦＩＤタグが単一の占有期間で返信波を返信するように指示する期間指示情報を含む質問波を前記ＲＦＩＤタグへ送信し、前記タグ送信部が、前記タグ受信部が受信した前記指示情報に含まれる前記期間指示情報から、前記単一の占有期間に前記ＲＦＩＤリーダへ前記ＲＦＩＤタグのＩＤ情報を有する返信波を返信するものである請求項５に記載のものである。
【００１６】
請求項７の発明に係るＲＦＩＤシステムは、前記リーダ制御部が、送信エリアを狭めて送信した質問波を受信した前記ＲＦＩＤタグからの返信波が衝突したとき、質問波の送信エリアをさらに狭めさせる送信制御を前記リーダ送信部に対して行うものである請求項１〜６のいずれかに記載のものである。
【００１７】
請求項８の発明に係るＲＦＩＤシステムは、前記リーダ制御部が、前記リーダ受信部が前記返信波を受信しないとき、質問波の送信エリアを広げる送信制御を前記リーダ送信部に対して行うものである請求項１〜７のいずれかに記載のものである。
【００１８】
請求項９の発明に係るＲＦＩＤシステムは、前記送信制御が、前記リーダ送信部に質問波の送信電力を変更するものである請求項１〜８のいずれかに記載のものである。
【００１９】
請求項１０の発明に係るＲＦＩＤシステムは、前記送信制御が、前記リーダ送信部に、質問波の送信ビームパターンのビーム幅を変更するものである請求項１〜８のいずれかに記載のものである。
【００２０】
請求項１１の発明に係る入退室管理システムは、請求項１〜１０のいずれかに記載のＲＦＩＤシステムを用いたものであって、一のエリアと二のエリアとを仕切る仕切り部と、この仕切り部の開錠と施錠とを行う鍵開閉制御部と、前記ＲＦＩＤタグのＩＤ情報ごとに前記仕切り部の開錠の可能・不可能が記憶された記憶部と、前記リーダ制御部が読み取った前記ＲＦＩＤタグのＩＤ情報が、前記記憶部に記憶されているものであり、前記仕切り部の開錠の可能なものと記憶されていると判定した場合は前記鍵開閉制御部を開錠させる入退室制御部とを備えたこと特徴とするものである。
【００２１】
請求項１２の発明に係る入退室管理システムは、前記入退室制御部が、前記リーダ制御部が読み取った前記ＲＦＩＤタグのＩＤ情報が前記記憶部に記憶され、かつ、前記仕切り部の開錠の不可能なものと記憶されていると判定した場合は、前記リーダ送信部から、前記仕切り部の開錠の不可能なものと記憶されているＩＤ情報を有するＲＦＩＤタグへ、所定の時間において質問波に対する応答波を出さないスリープ状態に遷移させるスリープ指示情報を含む送信波を送信させるものである請求項１１に記載のものである。
【００２２】
請求項１３の発明に係る入退室管理システムは、前記リーダ制御部が、前記リーダ送信部が、前記仕切り部の開錠の不可能なものと記憶されているＩＤ情報を有するＲＦＩＤタグへ、所定の時間において質問波に対する応答波を出さないスリープ状態に遷移させるスリープ指示情報を含む送信波を前記仕切り部の開錠の不可能なものと記憶されているＩＤ情報を有するＲＦＩＤタグへ送信した後、前記仕切り部の開錠の不可能なものと記憶されているＩＤ情報を有するＲＦＩＤタグの返信波を返信させた質問波の送信エリアよりも広い送信エリアに、質問波を送信させる送信制御を前記リーダ送信部に対して行うものである請求項１２に記載のものである。
【００２３】
請求項１４の発明に係る入退室管理システムは、音又は光を発する報知部を備え、前記入退室制御部が、前記リーダ制御部が読み取った前記ＲＦＩＤタグのＩＤ情報が前記記憶部に記憶され、かつ、前記仕切り部の開錠の不可能なものと記憶されている判定した場合は、前記報知部から音又は光を発するものである請求項１１に記載のものである。
【発明の効果】
【００２４】
以上のように、請求項１に係る発明によれば、アンチコリジョン機能であるタイムロット方式を用いるＲＦＩＤシステムにおいて、質問波の送信エリアに存在し、ＲＦＩＤリーダ（リーダアンテナ部）に最寄りのＲＦＩＤタグのＩＤ情報を読み取ることができるＲＦＩＤシステムを得ることができる。
【００２５】
請求項２に係る発明によれば、ＲＦＩＤリーダから質問波を送信して、前記質問波を受信したＲＦＩＤタグが、前記質問波に含まれる占有期間の算出指示情報から、前記ＲＦＩＤリーダへ返信する返信波の返信する占有期間を前記ＲＦＩＤタグが算出して、その算出された占有期間に返信波を前記ＲＦＩＤリーダに返信して、前記ＲＦＩＤリーダが同じ占有期間に複数の前記返信波を受信したときに衝突が生じたとして、再度、占有期間の算出指示情報を含む質問波を送信するＲＦＩＤシステムにおいて、質問波の送信エリアに存在し、ＲＦＩＤリーダ（リーダアンテナ部）に最寄りのＲＦＩＤタグのＩＤ情報を読み取ることができるＲＦＩＤシステムを得ることができる。
【００２６】
請求項３に係る発明によれば、ＲＦＩＤタグのＩＤ情報を構成するコードのうち、先頭ビットの情報から順に得るためにＲＦＩＤリーダから質問波を送信して、前記質問波を受信したＲＦＩＤタグが返信波を前記ＲＦＩＤリーダへ返信するアンチコリジョン機能であるバイナリツリー方式を用いるＲＦＩＤシステムにおいて、質問波の送信エリアに存在し、ＲＦＩＤリーダ（リーダアンテナ部）に最寄りのＲＦＩＤタグのＩＤ情報を読み取ることができるＲＦＩＤシステムを得ることができる。
【００２７】
請求項４に係る発明によれば、ＲＦＩＤリーダから質問波を送信して、前記質問波を受信したＲＦＩＤタグが前記ＲＦＩＤタグのＩＤ情報を構成するコードのうち、少なくとも一部を有する返信波を前記ＲＦＩＤリーダへ返信するＲＦＩＤシステムであって、質問波の送信エリアに存在し、ＲＦＩＤリーダ（リーダアンテナ部）に最寄りのＲＦＩＤタグのＩＤ情報を読み取ることができるＲＦＩＤシステムを得ることができる。
【００２８】
請求項５に係る発明によれば、ＲＦＩＤリーダから質問波を送信して、前記質問波を受信したＲＦＩＤタグが前記ＲＦＩＤタグのＩＤ情報を有する返信波を前記ＲＦＩＤリーダへ返信するＲＦＩＤシステムにおいて、質問波の送信エリアに存在し、ＲＦＩＤリーダ（リーダアンテナ部）に最寄りのＲＦＩＤタグのＩＤ情報を読み取ることができるＲＦＩＤシステムを得ることができる。
【００２９】
請求項６に係る発明によれば、請求項５に係る発明の効果に加え、質問波の送信エリアに複数のＲＦＩＤタグが存在しているときに、ＲＦＩＤタグから返信波が確実に衝突させることができ、質問波の送信エリアを狭めさせる送信制御を適切に実行できるＲＦＩＤシステムを得ることができる。
【００３０】
請求項７に係る発明によれば、請求項１〜６に係る発明の効果に加え、質問波の送信エリアを狭めさせる送信制御を実行した後も、ＲＦＩＤタグから返信波が衝突した場合でも、質問波の送信エリアに存在し、ＲＦＩＤリーダ（リーダアンテナ部）に最寄りのＲＦＩＤタグのＩＤ情報を読み取ることができるＲＦＩＤシステムを得ることができる。
【００３１】
請求項８に係る発明によれば、請求項１〜７に係る発明の効果に加え、ＲＦＩＤタグの存在を検出する可能性を高めたＲＦＩＤシステムを得ることができる。
【００３２】
請求項９に係る発明によれば、請求項１〜８に係る発明の効果に加え、ＲＦＩＤリーダ（リーダアンテナ部）から質問波の送信エリアの尖頭へ向かう距離方向にて容易に質問波の送信エリアの面積を制御できるＲＦＩＤシステムを得ることができる。
【００３３】
請求項１０に係る発明によれば、請求項１〜８に係る発明の効果に加え、ＲＦＩＤリーダ（リーダアンテナ部）から質問波の送信エリアの尖頭へ向かう距離方向と交差する幅方向にて容易に質問波の送信エリアの面積を制御できるＲＦＩＤシステムを得ることができる。
【００３４】
請求項１１に係る発明によれば、請求項１〜１０のいずれかに記載のＲＦＩＤシステムを用いた入退室管理システムであって、質問波の送信エリアに存在し、ＲＦＩＤリーダ（リーダアンテナ部）に最寄りのＲＦＩＤタグのＩＤ情報を読み取り、仕切り部の開錠の可能なものかどうかの入退室の判断を実行できる入退室管理システムを得ることができる。
【００３５】
請求項１２に係る発明によれば、請求項１１に係る発明の効果に加え、仕切り部の開錠の不可能なＩＤ情報を有するＲＦＩＤタグを処理から所定の時間の間、処理から除外できる入退室管理システムを得ることができる。
【００３６】
請求項１３に係る発明によれば、請求項１２に係る発明の効果に加え、仕切り部の開錠の不可能なＩＤ情報を有するＲＦＩＤタグにより、仕切り部の開錠の可能なＩＤ情報を有するＲＦＩＤタグの認証を阻害する可能性を低減させた入退室管理システムを得ることができる。
【００３７】
請求項１４に係る発明によれば、請求項１１に係る発明の効果に加え、仕切り部の開錠の不可能なＩＤ情報を有するＲＦＩＤタグが検出されたことを報知することが可能な入退室管理システムを得ることができる。
【図面の簡単な説明】
【００３８】
【図１】この発明の実施の形態１に係るＲＦＩＤシステム及びこれを用いた入退室管理システムの機能ブロック図である。
【図２】この発明の実施の形態１に係るＲＦＩＤシステム及びこれを用いた入退室管理システムの動作フローチャートである。
【図３】この発明の実施の形態１に係るＲＦＩＤシステム及びこれを用いた入退室管理システムの入退室の状況を示す模式図である。
【図４】この発明の実施の形態１に係るＲＦＩＤシステム及びこれを用いた入退室管理システムの入退室の状況を示す模式図である。
【図５】この発明の実施の形態２に係るＲＦＩＤシステム及びこれを用いた入退室管理システムの機能ブロック図である。
【図６】この発明の実施の形態３に係るＲＦＩＤシステム及びこれを用いた入退室管理システムの機能ブロック図である。
【図７】この発明の実施の形態４に係るＲＦＩＤシステム及びこれを用いた入退室管理システムの機能ブロック図である。
【図８】この発明の実施の形態４に係るＲＦＩＤシステム及びこれを用いた入退室管理システムの入退室の状況を示す模式図である。
【図９】この発明の実施の形態４に係るＲＦＩＤシステム及びこれを用いた入退室管理システムの入退室の状況を示す模式図である。
【発明を実施するための形態】
【００３９】
実施の形態１．
以下、この発明の実施の形態１について図１〜４を用いて説明する。図１（ａ）はＲＦＩＤシステム（入退室管理システムを含む）のＲＦＩＤリーダを主とした機能ブロック図、図１（ｂ）はＲＦＩＤシステムのＲＦＩＤタグを主とした機能ブロック図、図２（ａ）はＲＦＩＤシステムの基本動作を示すフローチャート、図２（ｂ）はＲＦＩＤシステムのＲＦＩＤリーダ（リーダアンテナ部）に最寄りのＲＦＩＤタグのみを読み取る動作を示すフローチャート、図３（ａ）は入退室管理システムの入退室の状況を示す模式図（送信エリア初期）、図３（ｂ）は入退室管理システムの入退室の状況を示す模式図（送信エリア変更後）、図４（ａ）は入退室管理システムの入退室の状況を示す模式図（送信エリア初期）、図４（ｂ）は入退室管理システムの入退室の状況を示す模式図（送信エリア変更後）である。なお、図２における「Ｓ○○○」（○には正の整数が入る）とは、各処理ステップを示している。図中、同一符号は、同一又は相当部分を示しそれらについての詳細な説明は省略する。
【００４０】
図１〜４において、１はＲＦＩＤリーダ（ＲＦＩＤリーダライタでもよい）、２はＲＦＩＤタグである。ここで、ＲＦＩＤタグ２をＲＦＩＤリーダ１が読み取るべきものとする。詳しくは、ＲＦＩＤリーダ１に最寄りの（最も近い位置に存在する）ＲＦＩＤタグをＲＦＩＤタグ２とする。つまり、入退室管理においては、所有者が入室や退室を希望している場合の所有者が所有するＲＦＩＤタグ２となる。なお、２ａ〜２ｃ・・２ｘはＲＦＩＤタグであるが、ＲＦＩＤリーダ１が読み取るべきものではないとする。つまり、入退室管理においては、所有者が入室や退室を希望していない場合の所有者が所有するＲＦＩＤタグ２ａ〜２ｃ・・２ｘとなる。以下、代表としてＲＦＩＤタグ２の構成を説明するが、ＲＦＩＤタグ２ａ〜２ｃ・・２ｘ（ＲＦＩＤタグタグ２ａ〜２ｘ）も同様の構成として説明は省略する。３はＲＦＩＤリーダ１に設けられ、ＲＦＩＤタグ２が単一の占有期間（タイムスロット）の算出するように指示する占有期間（タイムスロット）の算出指示情報を含む質問波をＲＦＩＤタグ２へ送信するリーダ送信部、４はリーダ送信部３から算出指示情報を含む質問波１αをＲＦＩＤタグ２へ放射するリーダアンテナ部である。点線で囲われたエリアが質問波１αの送信エリアである。５はリーダ送信部３とリーダアンテナ部４とを接続する送受を分離するリーダ方向性結合部であり、サーキュレータなどの方向性結合器で構成されるがフィルタで代用してもよい。リーダ送信部３，リーダアンテナ部４（送信時），リーダ方向性結合部５（送信時）の３つを広義のリーダ送信部とする。
【００４１】
図１〜４において、６はＲＦＩＤタグ２に設けられ、算出指示情報を含む質問波を受信するタグ受信部、７は受信した算出指示情報を含む質問波をタグ受信部６へ送るタグアンテナ部、８はタグ受信部６とタグアンテナ部７とを接続する送受を分離するタグ方向性結合部であり、サーキュレータなどの方向性結合器で構成されるがフィルタで代用してもよい。タグ受信部６，タグアンテナ部７（受信時），タグ方向性結合部８（受信時）の３つを広義のタグ受信部とする。９はＲＦＩＤタグ２に設けられ、タグ受信部６が受信した算出指示情報から、単一の占有期間の算出するタグ制御部、１０はタグ制御部９の内部に設けられたＲＦＩＤタグ２のＩＤ情報を保存したＩＤ記憶部、１１はタグ制御部９が算出した占有期間にＲＦＩＤリーダ１へＲＦＩＤタグのＩＤ情報を有する返信波２α（返信波２β：ＲＦＩＤタグ２ａ〜２ｘは複数あるが、便宜上、返信波はまとめて「２β」とする。）を方向性結合器８及びタグアンテナ部７を介して返信するタグ送信部である。タグ制御部９，タグ送信部１１，タグアンテナ部７（送信時），方向性結合部８（送信時）の４つを広義のタグ送信部とする。
【００４２】
図１〜４において、１２はＲＦＩＤリーダ１に設けられ、ＲＦＩＤタグ２のＩＤ情報を有する返信波をリーダアンテナ部４及びリーダ方向性結合器５を介して受信するリーダ受信部である。リーダ受信部１２，リーダアンテナ部４（受信時），リーダ方向性結合部５（受信時）の３つを広義のリーダ送信部とする。１３はリーダ受信部１２が単一の占有期間に単一の返信波を受信したとき、その受信された返信波に含まれるＩＤ情報を読み取り、リーダ受信部１２が受信した返信波が単一の占有期間に衝突したとき、ＲＦＩＤタグ２が単一の占有期間の算出するように指示する占有期間の算出指示情報を含む質問波の送信エリアを狭めさせる送信制御をリーダ送信部（リーダアンテナ部４）に対して行うリーダ制御部、１４はＲＦＩＤリーダ１の内部又は外部に設けられ、ＲＦＩＤタグ２のＩＤ情報ごとに認証が可能か、不可能かが記憶された記憶部である。なお、記憶部１４は、認証の一態様としてＲＦＩＤタグ２のＩＤ情報ごとに後述する仕切り部１５の開錠の可能・不可能が記憶されている。
【００４３】
図１〜４において、１５は一のエリアと二のエリアとを仕切る遮断棒，フラッパーゲート，扉などの仕切り部である。図中では代表例として遮断棒を示している。遮断棒が下がり、人の入退室が不可能な状態が施錠の状態とし、遮断棒が上がり、人の入退室が可能な状態が開錠の状態とする。１６は仕切り部１５の開錠と施錠とを行う鍵開閉制御部である。仕切り部１５が扉であれば、鍵開閉制御部１６は一般的な電子錠システムでよい。また、仕切り部１５が遮断棒やフラッパーゲートであれば、鍵開閉制御部１６における開錠は遮断棒やフラッパーゲートを通行可能な状態することを指し、施錠は遮断棒やフラッパーゲートを通行不可能な状態することを指す。１７はリーダ制御部１３が読み取ったＲＦＩＤタグ２のＩＤ情報が、記憶部１４に記憶されているものであり、仕切り部１５の開錠の可能なものと記憶されていると判定した場合は鍵開閉制御部１６を開錠させる入退室制御部、１８は音又は光を発する報知部である。リーダ制御部１３が読み取ったＲＦＩＤタグ２のＩＤ情報が記憶部１４に記憶され、かつ、仕切り部の開錠の不可能なものと記憶されている判定した場合は、入退室制御部１７が、報知部１８を制御して音又は光を発せしめる。報知部１８は、ＬＥＤなどの光源を用いた回転灯や警告灯などの照明装置を点灯又は点滅させることで、認証不可を報知するものであり、照明装置や不正を音声で報知するスピーカなどの音声発生装置に限らず、不正を画面上に表示して報知する表示装置でもよい。表示が光の情報を伴っている点で光を発するといえる。
【００４４】
次にＲＦＩＤシステムの動作について説明する。実施の形態１に係るＲＦＩＤシステムは、ＲＦＩＤリーダ１から質問波１αを送信して、質問波１αを受信したＲＦＩＤタグ２（ＲＦＩＤタグ２ａ〜２ｘ）ごとに算出した占有期間（タイムスロット）に返信波をＲＦＩＤリーダ１へ返信波２α（返信波２β）を返信するようにしたアンチコリジョン機能であるタイムロット方式を用いるものに適用したものに関する。このタイムロット方式を用いたＲＦＩＤシステムの基本動作を、図１のＲＦＩＤシステムの機能ブロック図と図２（ａ）のフローチャートとを用いて説明する。まず、ＲＦＩＤリーダ１のリーダ制御部１３がリーダ送信部３及びリーダアンテナ部４を制御して、質問波の送信エリア内に存在するＲＦＩＤタグへ送信する（Ｓ４１１）。以下、ＲＦＩＤタグ２が送信エリアに存在する場合を例に説明を進める。
【００４５】
ＲＦＩＤタグ２のタグ受信部６は、タグアンテナ部７を介して、ＲＦＩＤリーダ１からの質問波を受信すると、タグ制御部９は、タグ制御部９の内部の乱数生成部（タイムスロット計算部）がランダムに生成した乱数を用いて、ＲＦＩＤ２タグからのＲＦＩＤタグ２のＩＤ情報を有する返信波の送信タイミング（返信タイミング）を算出する。例えば、２Ｂｉｔのタイムスロット（占有期間）を算出する場合は、乱数生成部から生成される乱数（２進数）が「００」，「０１」，「１０」，「１１」の四種類となるようなものに設定すればよい。乱数（２進数）の下二桁を抽出する形式にすれば容易に得られる。よって、ＲＦＩＤタグ２は、４つの占有期間のいずれかでＲＦＩＤタグ２のＩＤ情報を乗せた質問波をＲＦＩＤリーダライタ１へ返信（送信）することになる。これはもちろん、他のＲＦＩＤタグ２ａ〜２ｘも同様である。つまり、質問波の送信エリア内に存在するＲＦＩＤタグ２，２ａ〜２ｘは、４つの占有期間のいずれかで返信波をＲＦＩＤリーダ１へ返信することになる。ここでは、所定の占有期間にＲＦＩＤタグ２からＲＦＩＤリーダライタ１へ返信波を返信（送信）するとして説明を進める。
【００４６】
ＲＦＩＤリーダ１がＲＦＩＤタグからの応答を受信、つまり、ＲＦＩＤタグ２からの返信波が送信され、ＲＦＩＤリーダ１のリーダ受信部１２がリーダアンテナ部４を介して、返信波２αを受信する（Ｓ４１２）。Ｓ４１２にて、ＲＦＩＤリーダ１が所定の占有期間に受信した返信波がＲＦＩＤタグ２からの返信波のみであった場合は、リーダ受信部１２内で返信波が混信する（返信波が衝突する）ことがないので、受信された返信波に含まれるＲＦＩＤ２のＩＤ情報をリーダ制御部１３が読み取る。ここで、ＩＤ情報が読み取れたＲＦＩＤタグ２へは、所定の時間において質問波に対する応答波を出さないスリープ状態に遷移させるスリープ指示情報を含む送信波を前述の質問波と同じ処理系統で送信してＲＦＩＤタグ２を所定の時間、スリープさせてよい。
【００４７】
ＲＦＩＤリーダ１が所定の占有期間に受信した返信波がＲＦＩＤタグ２からの返信波に加え、別の返信波も受信した場合（例えばＲＦＩＤタグ２ａからの返信波）、つまり、リーダ受信部１２が受信した返信波が所定の占有期間に衝突したとき、リーダ制御部１３は、返信波を受信するために質問波を再度、送信する。ここで、ＩＤ情報を読取済みのＲＦＩＤタグからの返信波が無い方が、次回の読み取り時における返信波の衝突の可能性が低くなるので、前述のＲＦＩＤタグを所定時間に亘りスリープ状態に遷移させる手法が一般的である。
【００４８】
以上のことから、換言すると、タイムロット方式を用いたＲＦＩＤシステムとは、ＲＦＩＤリーダ１から質問波を送信して、質問波を受信したＲＦＩＤタグ２が、質問波に含まれる占有期間の算出指示情報から、ＲＦＩＤリーダ１へ返信する返信波の返信する占有期間をＲＦＩＤタグ２が算出して、その算出された占有期間に返信波をＲＦＩＤリーダ１に返信して、ＲＦＩＤリーダが同じ占有期間に複数の返信波を受信したときに衝突が生じたとして、再度、占有期間の算出指示情報を含む質問波を送信するものともいえる。
【００４９】
図１のＲＦＩＤシステムの機能ブロック図と図２（ｂ）のフローチャートとを用いて実施の形態１に係るＲＦＩＤシステムのＲＦＩＤリーダ（リーダアンテナ部４）に最寄りのＲＦＩＤタグのみを読み取る動作を説明する。まず、ＲＦＩＤリーダ１のリーダ制御部１３がアンチコリジョン機能の変更を設定する（Ｓ４２１）。次に、アンチコリジョン機能から単一の占有期間で、あえて衝突（混信）するＲＦＩＤタグから返信波を受信するために質問波を送信するために質問波へ乗せる情報（算出指示情報）を設定する（Ｓ４２２）。そして、リーダ制御部１３がリーダ送信部３及びリーダアンテナ部４を制御して、ＲＦＩＤタグ２，２ａ〜２ｘが単一の占有期間の算出するように指示する占有期間の算出指示情報を含む質問波１αの送信エリア内に存在するＲＦＩＤタグへ送信する（Ｓ４２３）。以下、ＲＦＩＤタグ２が送信エリアに存在する場合を例に説明を進める。
【００５０】
ＲＦＩＤタグ２のタグ受信部６は、タグアンテナ部７を介して、ＲＦＩＤリーダ１からの算出指示情報を含む質問波１αを受信すると、その算出指示情報から、タグ制御部９は、乱数生成部がランダムに生成した乱数の生成に関して、占有期間（タイムスロット）を「１」と設定することにより（タイムスロットの設定値が「１」）、実質的に乱数ではなく、単一の数値「００」を乱数生成部に生成（算出）させる。この乱数生成部が生成した単一の数値「００」から、ＲＦＩＤ２タグからのＲＦＩＤタグ２のＩＤ情報を有する返信波２αの送信タイミング（返信タイミング）をＲＦＩＤリーダ１が指示する単一の占有期間とさせる。これはもちろん、他のＲＦＩＤタグ２ａ〜２ｘも同様である。つまり、質問波１αの送信エリア内に存在するＲＦＩＤタグ２，２ａ〜２ｘは、同じ占有期間に返信波（返信波２α，返信波２β）をＲＦＩＤリーダ１へ返信することになる。この場合、実質的には、「占有」ではないが、便宜上、「占有」という用語を使用する。なお、質問波１αの送信エリア内に存在するＲＦＩＤタグから同じタイミングで返信波がＲＦＩＤタグから送信することが可能であれば、タグ制御部９による単一の占有期間の算出（生成）は、タグ制御部９の内部の乱数生成部を用いずに、タグ制御部９が単一の占有期間を決定すればよい。また、それができるように、質問波１αを介してＲＦＩＤリーダ１からタグ制御部９へ指示すればよい。
【００５１】
ＲＦＩＤリーダ１がＲＦＩＤタグからの応答を受信、つまり、ＲＦＩＤタグ２からの返信波２αが送信され、ＲＦＩＤリーダ１のリーダ受信部１２がリーダアンテナ部４を介して、返信波２αを受信する（Ｓ４２４）。その後、Ｓ４２５の処理ステップを行う。Ｓ４２４にて、ＲＦＩＤリーダ１が単一の占有期間に受信した返信波がＲＦＩＤタグ２からの返信波２αのみであった場合は、リーダ受信部１２内で返信波が混信する（返信波が衝突する）ことがないので、Ｓ４２６へ進み、受信された返信波２αに含まれるＲＦＩＤ２のＩＤ情報をリーダ制御部１３が読み取る。読み取れたＩＤ情報は、記憶部１４に記憶された情報と比較され、認証が可能かどうかをリーダ制御部で判断する。ここで、ＩＤ情報が読み取れたＲＦＩＤタグ２へは、所定の時間において質問波に対する応答波を出さないスリープ状態に遷移させるスリープ指示情報を含む送信波を前述の質問波１αと同じ処理系統で送信してＲＦＩＤタグ２を所定の時間、スリープさせてよい。
【００５２】
Ｓ４２４にて、ＲＦＩＤリーダ１が単一の占有期間に受信した返信波がＲＦＩＤタグ２からの返信波２αに加え、別の返信波も受信した場合（例えばＲＦＩＤタグ２ａからの返信波２β）、つまり、リーダ受信部１２が受信した返信波が単一の占有期間に衝突したとき、リーダ制御部１３は、単一の占有期間でＲＦＩＤタグから返信波を受信するために質問波を送信するために質問波へ乗せる情報（算出指示情報）の送信エリアの設定を変更し、リーダ送信部３に対して、送信エリアを狭めさせる送信制御を行い、Ｓ４２３に戻る。なお、Ｓ４２３に戻る前に、Ｓ４２８として、送信エリア内に複数のＲＦＩＤタグが存在することを報知部１８により報知（アラートを表示）してもよい。後述する実施の形態１に係るＲＦＩＤシステムを用いた入退室管理システムでは、ＲＦＩＤタグの返信波の衝突を検知した場合、アラートを表示することで、入退室の意志のない人物に対して通信範囲から退避するように伝えることで、確実に入退室の意志のある人物のみ通信可能となる状況を作り出すことが可能である。Ｓ４２３に戻り、Ｓ４２３，Ｓ４２４，Ｓ４２５（衝突有り）の処理を経た場合、つまり、リーダ制御部１３が、送信エリアを狭めて送信した質問波を受信したＲＦＩＤタグからの返信波が衝突したとき、質問波の送信エリアをさらに狭めさせる送信制御をリーダ送信部１２に対して行えばよい。また、図２（ｂ）には示していないが、Ｓ４２４にて、リーダ受信部１２が返信波を受信しないとき、Ｓ４２２に戻り、リーダ制御部１３が、質問波１αの送信エリアを広げる送信制御をリーダ送信部１２に対して行ってもよい。
【００５３】
実施の形態１に係るＲＦＩＤシステムでは、このような処理ステップを行うことで、ＲＦＩＤリーダ１（リーダアンテナ部４）にもっと近い位置に存在するＲＦＩＤタグ２のみのＩＤ情報を読み取ることができる。ＲＦＩＤリーダ１による送信エリアの狭め方（広め方）としては、リーダ送信部１２に質問波１αの送信電力を変更（「送信エリアの狭めるときは、送信電力を下げる」，「送信エリアの広げるときは、送信電力を上げる」）、又は、質問波１αの送信ビームパターンのビーム幅を変更（「送信エリアの狭めるときは、ビーム幅を狭める」，「送信エリアの広げるときは、ビーム幅を広げる」）すればよい。もちろん、送信電力の変更とビーム幅の変更とを併用してもよいことはいうまでもない。なお、送信電力の変更を含め、ビーム幅の変更は、特許文献７に記載の送信ビームパターンが制御可能なアンテナなどのアレイアンテナを用いてリーダアンテナ部４を形成すればよい。
【００５４】
実施の形態１に係るＲＦＩＤシステムは、このような性質を有するものであるので、初期の質問波１αの送信エリアは広いほうがよい。よって、初期の質問波１αの送信電力はある程度高いものを用いることが好適である。また、図２（ｂ）のフローチャートで説明したＳ４２３，Ｓ４２４，Ｓ４２５（衝突有り）の処理を繰り返すにあたり、送信電力の変更とビーム幅の変更とを交互に行ったり、織り交ぜて行ったりしてよい。
【００５５】
次に実施の形態１に係るＲＦＩＤシステムを用いた入退室管理システムの動作について説明する。ここで説明する入退室管理システムは前述のＲＦＩＤシステムを用いたものである。図３は実施の形態１に係る入退室管理システムを示す模式図である。図３（ａ）（ｂ）は、仕切り部１５によって仕切られた一方のエリア（一のエリア）と他方のエリア（二のエリア）の二つのエリアのうち、一方のエリアの通路にＲＦＩＤタグ２を所有する所有者とＲＦＩＤタグ２ａを所有する所有者が存在している状態を示している。ＲＦＩＤタグ２を所有する所有者は、仕切り部１５に繋がる通路におり、その通路とＴ字路を形成している通路にＲＦＩＤタグ２ａを所有する所有者がいる。ＲＦＩＤタグ２を所有する所有者は、他方のエリアへの入室の意思があるものとする。ＲＦＩＤタグ２ａを所有する所有者は、仕切り部１５に近い位置にはいるが、他方のエリアへの入室の意思はないものとする。
【００５６】
図３（ａ）は、ＲＦＩＤリーダ１のリーダアンテナ部４から送信される質問波１αの送信エリアが、ＲＦＩＤタグ２を所有する所有者とＲＦＩＤタグ２ａを所有する所有者との両方を包含する広いものとなっているので、ＲＦＩＤリーダ１（リーダアンテナ部４）は、ＲＦＩＤタグ２及びＲＦＩＤタグ２ａからの返信波２α及び返信波２βの両方を受信し、ＲＦＩＤリーダ１（リーダ受信部１２）内で返信波２α及び返信波２βが衝突（混信）していまい、他方のエリアへの入室の意思があるＲＦＩＤタグ２を所有する所有者のＩＤ情報が読み取れないが、実施の形態１に係る入退室管理システムは、実施の形態１に係るＲＦＩＤシステムを用いたものであるので、図２（ｂ）のフローチャートを用いて説明した前述の各処理を行うことで、図３（ｂ）に示すように、ＲＦＩＤリーダ１のリーダアンテナ部４から送信される質問波１αの送信エリアを狭めて、ＲＦＩＤタグ２のみを読み取ることが可能となる。
【００５７】
ＲＦＩＤリーダ１（リーダ制御部１３）に読み取れたＲＦＩＤタグ２のＩＤ情報は、記憶部１４に記憶されているものであり、仕切り部１５の開錠の可能なものと記憶されていると、入退室制御部１７が判定した場合は鍵開閉制御部１６を開錠させる。図３（ｂ）には、その様子を点線矢印により遮断棒（仕切り部１５）が上がる方向を模式的に示している。また、入退室制御部１７が、リーダ制御部９が読み取ったＲＦＩＤタグ２のＩＤ情報が記憶部に記憶され、かつ、仕切り部１５の開錠の不可能なものと記憶されている判定した場合は、報知部１８から音又は光を発してＲＦＩＤタグ２を所有する所有者を警告してもよい。
【００５８】
なお、リーダ制御部９が読み取ったＲＦＩＤタグ２のＩＤ情報が記憶部に記憶され、かつ、仕切り部１５の開錠の不可能なものと記憶されている判定した場合でも、入退室管理システムに求められるセキュリティレベルが高い無い場合は、リーダ送信部１２から、仕切り部１５の開錠の不可能なものと記憶されているＩＤ情報を有するＲＦＩＤタグ２へ、所定の時間において質問波に対する応答波を出さないスリープ状態に遷移させるスリープ指示情報を含む送信波を送信させて、他方のエリアへの入室を希望する者の妨げにならないようにしてもよい。
【００５９】
さらに、この所定の時間において質問波に対する応答波を出さないスリープ状態に遷移させるスリープ指示情報を含む送信波を仕切り部１５の開錠の不可能なものと記憶されているＩＤ情報を有するＲＦＩＤタグ２へ送信した後、仕切り部１５の開錠の不可能なものと記憶されているＩＤ情報を有するＲＦＩＤタグ２の返信波を返信させた質問波の送信エリアよりも広い送信エリアに、質問波を送信させる送信制御をリーダ送信部１２に対して行うことで、より、他方のエリアへの入室を希望する者の利便性を向上させてよい。
【００６０】
次に、通路が延びている方向に沿って仕切り部１５がある場合や、前述のＴ字路であっても仕切り部１５に繋がる通路が短い場合に好適な実施の形態１に係る入退室管理システムを説明する。図４は、前述のＴ字路であっても仕切り部１５に繋がる通路が短い場合の実施の形態１に係る入退室管理システムを示す模式図である。図４（ａ）（ｂ）は、仕切り部１５によって仕切られた一方のエリア（一のエリア）と他方のエリア（二のエリア）の二つのエリアのうち、一方のエリアの通路にＲＦＩＤタグ２を所有する所有者とＲＦＩＤタグ２ａを所有する所有者が存在している状態を示している。ＲＦＩＤタグ２を所有する所有者は、仕切り部１５に繋がる通路と、その通路とＴ字路を形成している通路との境界付近におり、仕切り部１５に繋がる通路とＴ字路を形成している通路にＲＦＩＤタグ２ａを所有する所有者がいる。図３と同様に、ＲＦＩＤタグ２を所有する所有者は、他方のエリアへの入室の意思があるものとする。ＲＦＩＤタグ２ａを所有する所有者は、仕切り部１５に近い位置にはいるが、他方のエリアへの入室の意思はないものとする。
【００６１】
図４（ａ）は、ＲＦＩＤリーダ１のリーダアンテナ部４から送信される質問波１αの送信エリアが、ＲＦＩＤタグ２を所有する所有者とＲＦＩＤタグ２ａを所有する所有者との両方を包含する広いものとなっているので、ＲＦＩＤリーダ１（リーダアンテナ部４）は、ＲＦＩＤタグ２及びＲＦＩＤタグ２ａからの返信波２α及び返信波２βの両方を受信し、ＲＦＩＤリーダ１（リーダ受信部１２）内で返信波２α及び返信波２βが衝突（混信）していまい、他方のエリアへの入室の意思があるＲＦＩＤタグ２を所有する所有者のＩＤ情報が読み取れない。しかし、前述の図３（ｂ）に示すように、ＲＦＩＤリーダ１のリーダアンテナ部４から送信される質問波１αの送信エリアを狭めて、ＲＦＩＤタグ２のみを読み取ることが可能となる場合もあるが、質問波１αの送信エリアを狭めた方によっては、換言すると、狭めた後の送信エリアの形状によっては、仕切り部１５に繋がる通路とＴ字路を形成している通路が送信エリアに包含されてしまうおそれがある。つまり、Ｔ字路であっても仕切り部１５に繋がる通路が短い場合では、仕切り部１５に繋がる通路とＴ字路を形成している通路を通っているだけで、ＲＦＩＤタグ２以外にも、他方のエリアへの入室を希望していない者のＲＦＩＤタグを読み取ってしまう（もちろん、ＩＤ情報が読み取れるわけではなく、衝突が生じる）おそれがある。
【００６２】
このような（図４のような）場合は、図４（ｂ）に示すように、リーダ制御部１３の送信制御として、リーダ送信部１２に、質問波１αの送信ビームパターンのビーム幅を狭めさせることで、仕切り部１５に繋がる通路とＴ字路を形成している通路を通っているだけで、ＲＦＩＤタグ２以外にも、他方のエリアへの入室を希望していない者のＲＦＩＤタグを読み取ってしまう可能性を減じることができる。このような処理は、リーダアンテナ部７の配置及びリーダアンテナ部７の送信ビームパターン（放射パターン）並びに仕切り部１５周辺の通路などの環境などを総合的に判断して決定すればよい。
【００６３】
実施の形態２．
この発明の実施の形態２について図２及び５を用いて説明する。実施の形態２に係るＲＦＩＤシステム及びこれを用いた入退室管理システムの説明は、実施の形態１に係るＲＦＩＤシステム及びこれを用いた入退室管理システムとの相違点を中心に説明を行う。説明がない部分は実施の形態１と同様である。図５（ａ）はＲＦＩＤシステム（入退室管理システムを含む）のＲＦＩＤリーダを主とした機能ブロック図、図５（ｂ）はＲＦＩＤシステムのＲＦＩＤタグを主とした機能ブロック図、である。図中、同一符号は、同一又は相当部分を示しそれらについての詳細な説明は省略する。図５において、１９はＲＦＩＤリーダ１に設けられ、ＲＦＩＤタグ２がＲＦＩＤタグ２のＩＤ情報を構成するコードのうち、先頭ビットの情報を有する返信波をＲＦＩＤリーダ１へ返信させる指示情報である質問波をＲＦＩＤタグ２へ送信するリーダ送信部、２０はリーダ送信部１９から指示情報を含む質問波１αをＲＦＩＤタグ２へ放射するリーダアンテナ部である。リーダ送信部１９，リーダアンテナ部２０（送信時），リーダ方向性結合部５（送信時）の３つを広義のリーダ送信部とする。
【００６４】
図５において、２１はＲＦＩＤタグ２に設けられ、指示情報である質問波を受信するタグ受信部、２２は受信した指示情報である質問波をタグ受信部２１へ送るタグアンテナ部、タグ受信部２１，タグアンテナ部２２（受信時），タグ方向性結合部８（受信時）の３つを広義のタグ受信部とする。２３はＲＦＩＤタグ２に設けられ、タグ受信部２１が受信した指示情報から、ＲＦＩＤリーダ１へＲＦＩＤタグのＩＤ情報を構成するコードのうち、先頭ビットの情報をＩＤ記憶部１０から引き出すタグ制御部、２４はタグ制御部２３がＩＤ記憶部１０から引き出したＲＦＩＤタグ２のＩＤ情報を構成するコードのうち、先頭ビットの情報を有する返信波２α（返信波２β）をＲＦＩＤリーダ１へ方向性結合器８及びタグアンテナ部２２を介して返信するタグ送信部である。タグ制御部２３，タグ送信部２４，タグアンテナ部２０（送信時），方向性結合部８（送信時）の４つを広義のタグ送信部とする。
【００６５】
図５において、２５はＲＦＩＤリーダ１に設けられ、ＲＦＩＤタグ２のＩＤ情報を構成するコードのうち、先頭ビットの情報を有する返信波をリーダアンテナ部２０及びリーダ方向性結合器５を介して受信するリーダ受信部である。リーダ受信部２５，リーダアンテナ部２０（受信時），リーダ方向性結合部５（受信時）の３つを広義のリーダ送信部とする。２６はリーダ受信部２５が単一の返信波を受信したとき、その受信された返信波を送信したＲＦＩＤタグ２へ、そのＩＤ情報を返信波に乗せて返信させるＩＤ返信指示情報を有する質問波をリーダ送信部２４に送信させて、ＩＤ返信指示情報に基づいてＲＦＩＤタグ２がそのＩＤ情報を有する返信波を返信してリーダ受信部２１が受信したその返信波から、ＲＦＩＤタグ２のＩＤ情報を読み取り、また、リーダ受信部２１が受信した返信波が衝突したとき、ＲＦＩＤタグのＩＤ情報を構成するコードのうち、先頭ビットの情報を有する返信波をＲＦＩＤリーダへ返信させる指示情報である質問波の送信エリアを狭めさせる送信制御をリーダ送信部１９に対して行うリーダ制御部である。
【００６６】
次にＲＦＩＤシステムの動作について説明する。実施の形態２に係るＲＦＩＤシステムは、ＲＦＩＤタグ２（ＲＦＩＤタグ２ａ〜２ｘ）のＩＤ情報を構成するコードのうち、先頭ビットの情報から順に得るためにＲＦＩＤリーダ１から質問波１αを送信して、質問波１αを受信したＲＦＩＤタグ２が返信波２α（返信波２β）をＲＦＩＤリーダ１へ返信するアンチコリジョン機能であるバイナリツリー方式を用いるものに適用したものに関する。このバイナリツリー方式を用いたＲＦＩＤシステムの基本動作を、図５のＲＦＩＤシステムの機能ブロック図と図２（ａ）のフローチャートとを用いて説明する。まず、ＲＦＩＤリーダ１のリーダ制御部２６がリーダ送信部１９及びリーダアンテナ部２０を制御して、質問波の送信エリア内に存在するＲＦＩＤタグへ送信する（Ｓ４１１）。以下、ＲＦＩＤタグ２が送信エリアに存在する場合を例に説明を進める。
【００６７】
ＲＦＩＤタグ２のタグ受信部２１は、タグアンテナ部２２を介して、ＲＦＩＤリーダ１からの質問波を受信すると、タグ制御部２３は、タグ制御部９は、質問波の要請に応じ、ＲＦＩＤタグ２のＩＤ情報における先頭ビットの情報から順に記憶部１０から呼び出し、順次、返信波にその情報を乗せて返信する処理を行う。これはもちろん、他のＲＦＩＤタグ２ａ〜２ｘも同様である。以下、ＲＦＩＤタグ２（ＲＦＩＤタグ２ａ〜２ｘ）が４種類あり、ＩＤ情報がそれぞれ「００」，「０１」，「１０」，「１１」と設定されており、質問波１αの送信エリア内には、ＩＤ情報「００」を有するものと、ＩＤ情報「０１」を有するものの二つのＲＦＩＤタグがある場合と、質問波１αの送信エリア内には、ＩＤ情報「００」を有するものの一つのＲＦＩＤタグがある場合の二つの場合があるとする。また、ここで、ＩＤ情報「００」を有するものはＲＦＩＤタグ２とし、ＩＤ情報「１」を有するものはＲＦＩＤタグ２ａとして説明を進める。
【００６８】
ＲＦＩＤリーダ１がＲＦＩＤタグからの応答を受信、つまり、ＲＦＩＤタグ２からの返信波が送信され、ＲＦＩＤリーダ１のリーダ受信部１２がリーダアンテナ部４を介して、返信波２αを受信する（Ｓ４１２）。Ｓ４１２にて、ＲＦＩＤリーダ１が受信した返信波がＲＦＩＤタグ２からの返信波のみであった場合は、リーダ受信部１２内で返信波が混信する（返信波が衝突する）ことがないので、ＲＦＩＤタグ２のＩＤ情報における先頭ビットの次の情報を得ることで、ＲＦＩＤタグ２のＩＤ情報を得ることができる。ここで、ＩＤ情報が読み取れたＲＦＩＤタグ２へは、所定の時間において質問波に対する応答波を出さないスリープ状態に遷移させるスリープ指示情報を含む送信波を前述の質問波と同じ処理系統で送信してＲＦＩＤタグ２を所定の時間、スリープさせてよい。
【００６９】
ＲＦＩＤリーダ１が受信した返信波がＲＦＩＤタグ２からの返信波に加え、ＲＦＩＤタグ２ａからの返信波があり、衝突したとき、リーダ制御部１３は、ＩＤ情報における先頭ビットの情報が「０」のもののみから、返信波を受信するために質問波を再度、送信する。そして、ＲＦＩＤリーダ１が受信した返信波がＲＦＩＤタグ２からの返信波のみであった場合は、リーダ受信部１２内で返信波が混信する（返信波が衝突する）ことがないので、ＲＦＩＤタグ２のＩＤ情報における先頭ビットの次の情報を得ることで、ＲＦＩＤタグ２のＩＤ情報を得ることができる。ここで、ＩＤ情報が読み取れたＲＦＩＤタグ２へは、所定の時間において質問波に対する応答波を出さないスリープ状態に遷移させるスリープ指示情報を含む送信波を前述の質問波と同じ処理系統で送信してＲＦＩＤタグ２を所定の時間、スリープさせてよい。もちろん、リーダ制御部１３は、ＩＤ情報における先頭ビットの情報が「１」のもののみから、返信波を受信するために質問波を再度、送信してもよい。この場合も、ＲＦＩＤリーダ１が受信した返信波がＲＦＩＤタグ２ａからの返信波のみであった場合は、リーダ受信部１２内で返信波が混信する（返信波が衝突する）ことがないので、ＲＦＩＤタグ２ａのＩＤ情報における先頭ビットの次の情報を得ることで、ＲＦＩＤタグ２ａのＩＤ情報を得ることができる。
【００７０】
図５のＲＦＩＤシステムの機能ブロック図と図２（ｂ）のフローチャートとを用いて実施の形態２に係るＲＦＩＤシステムのＲＦＩＤリーダ（リーダアンテナ部２０）に最寄りのＲＦＩＤタグのみを読み取る動作を説明する。まず、ＲＦＩＤリーダ１のリーダ制御部２３がアンチコリジョン機能の変更を設定する（Ｓ４２１）。次に、アンチコリジョン機能から、あえて衝突（混信）するＲＦＩＤタグから返信波を受信するために質問波を送信するために質問波へ乗せる情報（指示情報）を設定する（Ｓ４２２）。そして、リーダ制御部２６がリーダ送信部１９及びリーダアンテナ部２０を制御して、ＲＦＩＤタグ２，２ａ〜２ｘが指示情報である質問波１αの送信エリア内に存在するＲＦＩＤタグへ送信する（Ｓ４２３）。以下、ＲＦＩＤタグ２が送信エリアに存在する場合を例に説明を進める。
【００７１】
ＲＦＩＤタグ２のタグ受信部２１は、タグアンテナ部２２を介して、ＲＦＩＤリーダ１からの指示情報である質問波１αを受信すると、その指示情報から、タグ制御部２３がＲＦＩＤタグ２のＩＤ情報における先頭ビットの情報から順に記憶部１０から呼び出し、順次、返信波にその情報を乗せて返信する処理を行う。これはもちろん、他のＲＦＩＤタグ２ａ〜２ｘも同様である。つまり、質問波１αの送信エリア内に存在しておれば、ＲＦＩＤタグ２，２ａ〜２ｘは、返信波（返信波２α，返信波２β）をＲＦＩＤリーダ１へ返信することになる。
【００７２】
ＲＦＩＤリーダ１がＲＦＩＤタグからの応答を受信、つまり、ＲＦＩＤタグ２からの返信波２αが送信され、ＲＦＩＤリーダ１のリーダ受信部２５がリーダアンテナ部４を介して、返信波２αを受信する（Ｓ４２４）。その後、Ｓ４２５の処理ステップを行う。Ｓ４２４にて、ＲＦＩＤリーダ１が単一の返信波がＲＦＩＤタグ２からの返信波２αのみであった場合は、リーダ受信部１２内で返信波が混信する（返信波が衝突する）ことがないので、Ｓ４２６へ進み、一般的なバイナリツリー方式にて、ＲＦＩＤタグ２からＩＤ情報を得る処理を行う。つまり、その受信された返信波を送信したＲＦＩＤタグ２へ、そのＩＤ情報を返信波に乗せて返信させるＩＤ返信指示情報を有する質問波をリーダ送信部１９に送信させる。読み取れたＩＤ情報は、記憶部１４に記憶された情報と比較され、認証が可能かどうかをリーダ制御部で判断する。ここで、ＩＤ情報が読み取れたＲＦＩＤタグ２へは、所定の時間において質問波に対する応答波を出さないスリープ状態に遷移させるスリープ指示情報を含む送信波を前述の質問波１αと同じ処理系統で送信してＲＦＩＤタグ２を所定の時間、スリープさせてよい。
【００７３】
Ｓ４２４にて、ＲＦＩＤリーダ１が受信した返信波がＲＦＩＤタグ２からの返信波２αに加え、別の返信波も受信した場合（例えばＲＦＩＤタグ２ａからの返信波２β）、つまり、リーダ受信部２５が受信した返信波が衝突したとき、リーダ制御部２６は、ＲＦＩＤタグのＩＤ情報を構成するコードのうち、先頭ビットの情報を有する返信波をＲＦＩＤリーダ１へ返信させる指示情報である質問波の送信エリアの設定を変更し、リーダ送信部１９に対して、送信エリアを狭めさせる送信制御を行い、Ｓ４２３に戻る。なお、Ｓ４２３に戻る前に、Ｓ４２８として、送信エリア内に複数のＲＦＩＤタグが存在することを報知部１８により報知してもよい。Ｓ４２３に戻り、Ｓ４２３，Ｓ４２４，Ｓ４２５（衝突有り）の処理を経た場合、つまり、リーダ制御部１３が、送信エリアを狭めて送信した質問波を受信したＲＦＩＤタグからの返信波が衝突したとき、質問波の送信エリアをさらに狭めさせる送信制御をリーダ送信部１９に対して行えばよい。また、図２（ｂ）には示していないが、Ｓ４２４にて、リーダ受信部１２が返信波を受信しないとき、Ｓ４２２に戻り、リーダ制御部２６が、質問波１αの送信エリアを広げる送信制御をリーダ送信部１２に対して行ってもよい。
【００７４】
実施の形態２に係るＲＦＩＤシステムでは、このような処理ステップを行うことで、ＲＦＩＤリーダ１（リーダアンテナ部４）にもっと近い位置に存在するＲＦＩＤタグ２のみのＩＤ情報を読み取ることができる。ＲＦＩＤリーダ１による送信エリアの狭め方（広め方）としては、実施の形態１にて説明したものが実施の形態２でも適用できる。実施の形態２に係るＲＦＩＤシステムは、このような性質を有するものであるので、実施の形態１と同様に、初期の質問波１αの送信エリアは広いほうがよい。よって、初期の質問波１αの送信電力はある程度高いものを用いることが好適である。また、図２（ｂ）のフローチャートで説明したＳ４２３，Ｓ４２４，Ｓ４２５（衝突有り）の処理を繰り返すにあたり、送信電力の変更とビーム幅の変更とを交互に行ったり、織り交ぜて行ったりしてよい。
【００７５】
また、実施の形態２に係るＲＦＩＤシステムでは、ＲＦＩＤタグのからＲＦＩＤリーダ１への返信波をあえて衝突させているので、バイナリツリー方式ではなく、ＲＦＩＤリーダから質問波１αを送信して、質問波１αを受信したＲＦＩＤタグがＲＦＩＤタグのＩＤ情報を構成するコードのうち、少なくとも一部を有する返信波２α（返信波２β）をＲＦＩＤリーダ１へ返信するＲＦＩＤシステムであってもよい。
【００７６】
詳しくは、リーダ送信部１９が、ＲＦＩＤタグがＲＦＩＤタグのＩＤ情報を構成するコードのうち、少なくとも一部を有する返信波をＲＦＩＤリーダ１へ返信させる指示情報である質問波をＲＦＩＤタグ２へ送信し、ＲＦＩＤタグ２のタグ受信部２１は、タグアンテナ部２２を介して、ＲＦＩＤリーダ１からの指示情報である質問波１αを受信すると、その指示情報から、タグ制御部２３がＲＦＩＤタグ２のＩＤ情報を構成するコードのうち、少なくとも一部を有するＩＤ情報を返信波にその情報を乗せて返信する処理を行う。これはもちろん、他のＲＦＩＤタグ２ａ〜２ｘも同様である。つまり、質問波１αの送信エリア内に存在しておれば、ＲＦＩＤタグ２，２ａ〜２ｘは、返信波（返信波２α，返信波２β）をＲＦＩＤリーダ１へ返信することになる。
【００７７】
ＲＦＩＤリーダ１がＲＦＩＤタグからの応答を受信、つまり、ＲＦＩＤタグ２からの返信波２αが送信され、ＲＦＩＤリーダ１のリーダ受信部１２がリーダアンテナ部４を介して、返信波２αを受信する（Ｓ４２４）。その後、Ｓ４２５の処理ステップを行う。Ｓ４２４にて、ＲＦＩＤリーダ１が単一の返信波がＲＦＩＤタグ２からの返信波２αのみであった場合は、リーダ受信部１２内で返信波が混信する（返信波が衝突する）ことがないので、Ｓ４２６へ進み、受信された返信波を送信したＲＦＩＤタグ２へ、そのＩＤ情報を返信波に乗せて返信させるＩＤ返信指示情報を有する質問波をリーダ送信部１９に送信させる。読み取れたＩＤ情報は、記憶部１４に記憶された情報と比較され、認証が可能かどうかをリーダ制御部で判断する。ここで、ＩＤ情報が読み取れたＲＦＩＤタグ２へは、所定の時間において質問波に対する応答波を出さないスリープ状態に遷移させるスリープ指示情報を含む送信波を前述の質問波１αと同じ処理系統で送信してＲＦＩＤタグ２を所定の時間、スリープさせてよい。
【００７８】
Ｓ４２４にて、ＲＦＩＤリーダ１が受信した返信波がＲＦＩＤタグ２からの返信波２αに加え、別の返信波も受信した場合（例えばＲＦＩＤタグ２ａからの返信波２β）、つまり、リーダ受信部２５が受信した返信波が衝突したとき、リーダ制御部２６は、ＲＦＩＤタグのＩＤ情報を構成するコードのうち、少なくとも一部を有する返信波をＲＦＩＤリーダ１へ返信させる指示情報である質問波の送信エリアの設定を変更し、リーダ送信部１９に対して、送信エリアを狭めさせる送信制御を行い、Ｓ４２３に戻る。なお、Ｓ４２３に戻る前に、Ｓ４２８として、送信エリア内に複数のＲＦＩＤタグが存在することを報知部１８により報知してもよい。Ｓ４２３に戻り、Ｓ４２３，Ｓ４２４，Ｓ４２５（衝突有り）の処理を経た場合、つまり、リーダ制御部１３が、送信エリアを狭めて送信した質問波を受信したＲＦＩＤタグからの返信波が衝突したとき、質問波の送信エリアをさらに狭めさせる送信制御をリーダ送信部１２に対して行えばよい。また、図２（ｂ）には示していないが、Ｓ４２４にて、リーダ受信部１２が返信波を受信しないとき、Ｓ４２２に戻り、リーダ制御部１３が、質問波１αの送信エリアを広げる送信制御をリーダ送信部１２に対して行ってもよい。
【００７９】
実施の形態２に係るＲＦＩＤシステムを用いた入退室管理システムの動作については、実施の形態１に係るＲＦＩＤシステムを用いた入退室管理システムと同様なので説明は省略する。
【００８０】
実施の形態３．
この発明の実施の形態２について図２及び６を用いて説明する。実施の形態３に係るＲＦＩＤシステム及びこれを用いた入退室管理システムの説明は、実施の形態１及び２に係るＲＦＩＤシステム及びこれを用いた入退室管理システムとの相違点を中心に説明を行う。説明がない部分は実施の形態１と同様である。図６（ａ）はＲＦＩＤシステム（入退室管理システムを含む）のＲＦＩＤリーダを主とした機能ブロック図、図６（ｂ）はＲＦＩＤシステムのＲＦＩＤタグを主とした機能ブロック図、である。図中、同一符号は、同一又は相当部分を示しそれらについての詳細な説明は省略する。図６において、２７はＲＦＩＤリーダ１に設けられ、ＲＦＩＤタグ２がＲＦＩＤタグ２のＩＤ情報を有する返信波をＲＦＩＤリーダ１へ返信させる指示情報である質問波をＲＦＩＤタグ２へ送信するリーダ送信部、２８はリーダ送信部２７から指示情報である質問波１αをＲＦＩＤタグ２へ放射するリーダアンテナ部である。リーダ送信部２７，リーダアンテナ部２８（送信時），リーダ方向性結合部５（送信時）の３つを広義のリーダ送信部とする。
【００８１】
図６において、２９はＲＦＩＤタグ２に設けられ、指示情報である質問波を受信するタグ受信部、３０は受信した指示情報である質問波をタグ受信部２９へ送るタグアンテナ部である。タグ受信部２９，タグアンテナ部３０（受信時），タグ方向性結合部８（受信時）の３つを広義のタグ受信部とする。３１はＲＦＩＤタグ２に設けられ、タグ受信部２９が受信した指示情報から、ＩＤ記憶部１０から、ＲＦＩＤタグ２のＩＤ情報を引き出すタグ制御部、３２はタグ制御部３１が引き出したＲＦＩＤタグ２のＩＤ情報を有する返信波をＲＦＩＤリーダ１へ返信するタグ送信部である。タグ制御部３１，タグ送信部３２，タグアンテナ部３０（送信時），方向性結合部８（送信時）の４つを広義のタグ送信部とする。３３はＲＦＩＤリーダ１に設けられ、ＲＦＩＤタグ２のＩＤ情報を有する返信波をリーダアンテナ部２８及びリーダ方向性結合器５を介して受信するリーダ受信部である。３４はリーダ受信部３３が単一の返信波を受信したとき、その受信された返信波からＩＤ情報を読み取り、リーダ受信部３３が受信した返信波が衝突したとき、ＲＦＩＤタグ２のＩＤ情報を有する返信波をＲＦＩＤリーダへ返信させる指示情報である質問波の送信エリアを狭めさせる送信制御をリーダ送信部２７に対して行うリーダ制御部である。
【００８２】
実施の形態１及び２に係るＲＦＩＤシステムとそれらのＲＦＩＤシステムを用いた入退室管理システムは、アンチコリジョン機能を変更して実行していたが、本願に係るＲＦＩＤシステムとそれらのＲＦＩＤシステムを用いた入退室管理システムは、あえて衝突（混信）するＲＦＩＤタグから返信波を受信すればよいので、単に、ＲＦＩＤリーダ１から質問波を送信して、質問波１αを受信したＲＦＩＤタグ２がＲＦＩＤタグ２のＩＤ情報を有する返信波２αをＲＦＩＤリーダ１へ返信するものであってもよい。実施の形態３に係るＲＦＩＤシステムとこのＲＦＩＤシステムを用いた入退室管理システムは、このような場合のものである。
【００８３】
図６のＲＦＩＤシステムの機能ブロック図と図２（ｂ）のフローチャートとを用いて実施の形態３に係るＲＦＩＤシステムのＲＦＩＤリーダ（リーダアンテナ部２８）に最寄りのＲＦＩＤタグのみを読み取る動作を説明する。まず、ＲＦＩＤリーダ１のリーダ制御部２３がＲＦＩＤタグのＩＤ情報を得るための設定を行う（Ｓ４２１）。次に、ＲＦＩＤタグがＲＦＩＤタグのＩＤ情報を有する返信波をＲＦＩＤリーダ１へ返信させる指示情報である質問波へ乗せる情報を設定する（Ｓ４２２）。そして、リーダ制御部３４がリーダ送信部２７及びリーダアンテナ部２８を制御して、ＲＦＩＤタグ２，２ａ〜２ｘが指示情報である質問波１αの送信エリア内に存在するＲＦＩＤタグへ送信する（Ｓ４２３）。以下、ＲＦＩＤタグ２が送信エリアに存在する場合を例に説明を進める。
【００８４】
ＲＦＩＤタグ２のタグ受信部２９は、タグアンテナ部３０を介して、ＲＦＩＤリーダ１からの指示情報である質問波１αを受信すると、その指示情報から、タグ制御部２３がＲＦＩＤタグ２のＩＤ情報を記憶部１０から呼び出す処理を行う。これはもちろん、他のＲＦＩＤタグ２ａ〜２ｘも同様である。つまり、質問波１αの送信エリア内に存在しておれば、ＲＦＩＤタグ２，２ａ〜２ｘは、返信波（返信波２α，返信波２β）をＲＦＩＤリーダ１へ返信することになる。
【００８５】
ＲＦＩＤリーダ１がＲＦＩＤタグからの応答を受信、つまり、ＲＦＩＤタグ２からの返信波２αが送信され、ＲＦＩＤリーダ１のリーダ受信部３３がリーダアンテナ部４を介して、返信波２αを受信する（Ｓ４２４）。その後、Ｓ４２５の処理ステップを行う。Ｓ４２４にて、ＲＦＩＤリーダ１が単一の返信波がＲＦＩＤタグ２からの返信波２αのみであった場合は、リーダ受信部１２内で返信波が混信する（返信波が衝突する）ことがないので、Ｓ４２６へ進み、ＲＦＩＤタグ２からＩＤ情報を得る処理を行う。読み取れたＩＤ情報は、記憶部１４に記憶された情報と比較され、認証が可能かどうかをリーダ制御部で判断する。ここで、ＩＤ情報が読み取れたＲＦＩＤタグ２へは、所定の時間において質問波に対する応答波を出さないスリープ状態に遷移させるスリープ指示情報を含む送信波を前述の質問波１αと同じ処理系統で送信してＲＦＩＤタグ２を所定の時間、スリープさせてよい。
【００８６】
Ｓ４２４にて、ＲＦＩＤリーダ１が受信した返信波がＲＦＩＤタグ２からの返信波２αに加え、別の返信波も受信した場合（例えばＲＦＩＤタグ２ａからの返信波２β）、つまり、リーダ受信部３３が受信した返信波が衝突したとき、リーダ制御部３４は、ＲＦＩＤタグのＩＤ情報を有する返信波をＲＦＩＤリーダへ返信させる指示情報である質問波１αの送信エリアを狭めさせる送信制御をリーダ送信部２７に対して行い、Ｓ４２３に戻る。なお、Ｓ４２３に戻る前に、Ｓ４２８として、送信エリア内に複数のＲＦＩＤタグが存在することを報知部１８により報知してもよい。Ｓ４２３に戻り、Ｓ４２３，Ｓ４２４，Ｓ４２５（衝突有り）の処理を経た場合、つまり、リーダ制御部１３が、送信エリアを狭めて送信した質問波を受信したＲＦＩＤタグからの返信波が衝突したとき、質問波の送信エリアをさらに狭めさせる送信制御をリーダ送信部２７に対して行えばよい。また、図２（ｂ）には示していないが、Ｓ４２４にて、リーダ受信部１２が返信波を受信しないとき、Ｓ４２２に戻り、リーダ制御部３４が、質問波１αの送信エリアを広げる送信制御をリーダ送信部１２に対して行ってもよい。
【００８７】
実施の形態３に係るＲＦＩＤシステムでは、このような処理ステップを行うことで、ＲＦＩＤリーダ１（リーダアンテナ部４）にもっと近い位置に存在するＲＦＩＤタグ２のみのＩＤ情報を読み取ることができる。ＲＦＩＤリーダ１による送信エリアの狭め方（広め方）としては、実施の形態１及び２にて説明したものが実施の形態３でも適用できる。実施の形態３に係るＲＦＩＤシステムは、このような性質を有するものであるので、実施の形態１と同様に、初期の質問波１αの送信エリアは広いほうがよい。よって、初期の質問波１αの送信電力はある程度高いものを用いることが好適である。また、図２（ｂ）のフローチャートで説明したＳ４２３，Ｓ４２４，Ｓ４２５（衝突有り）の処理を繰り返すにあたり、送信電力の変更とビーム幅の変更とを交互に行ったり、織り交ぜて行ったりしてよい。
【００８８】
実施の形態３に係るＲＦＩＤシステムを用いた入退室管理システムの動作については、実施の形態１及び２に係るＲＦＩＤシステムを用いた入退室管理システムと同様なので説明は省略する。なお、実施の形態３に係るＲＦＩＤシステム及びこのＲＦＩＤシステムを用いた入退室管理システムにおいて、質問波１αに対する返信波２α（返信波２β）を返信の期間を設定して確実に、質問波１αの送信エリア内に複数のＲＦＩＤタグが存在する場合に、それらからの返信波（返信波２α，返信波２β）を衝突させるために、リーダ送信部２７が、指示情報にＲＦＩＤタグが単一の占有期間で返信波を返信するように指示する期間指示情報を含む質問波をＲＦＩＤタグへ送信し、タグ送信部３２が、タグ受信部３９が受信した指示情報に含まれる期間指示情報から、単一の占有期間にＲＦＩＤリーダ１へＲＦＩＤタグのＩＤ情報を有する返信波を返信するようにしてもよい。この場合は、実施の形態１に近い形態となる。
【００８９】
実施の形態４．
この発明の実施の形態１について図７，８，９を用いて説明する。図７はＲＦＩＤシステム（入退室管理システムを含む）のＲＦＩＤリーダを主とした機能ブロック図、図８（ａ）は入退室管理システムの入退室の状況を示す模式図（送信エリア初期）、図８（ｂ）は入退室管理システムの入退室の状況を示す模式図（送信エリア変更後）、図９（ａ）は入退室管理システムの入退室の状況を示す模式図（送信エリア初期）、図９（ｂ）は入退室管理システムの入退室の状況を示す模式図（送信エリア変更後）である。図中、同一符号は、同一又は相当部分を示しそれらについての詳細な説明は省略する。図８及び９は、それぞれ、図３及び４に対応する。
【００９０】
図７〜９において、３５は仕切り部３５から一点鎖線３５ａまでを感応領域（検知範囲）とする人感センサ（人体検知装置）である。人感センサ３５はリーダ制御部１３（リーダ制御部２３，リーダ制御部３１）と入退室制御部１７とに接続され、ＲＦＩＤタグを所有する所有者を含む、人を検知すると、検知信号をリーダ制御部１３（リーダ制御部２３，リーダ制御部３１）と入退室制御部１７とに送るものである。なお、図の簡便化のために、図８及び９には、人感センサ３５自体は図示していない。図７に示すＲＦＩＤシステム（入退室管理システムを含む）のＲＦＩＤリーダを主とした機能ブロック図は、実施の形態１に係るものと対応させているが、実施の形態４に係るＲＦＩＤシステム及びこのＲＦＩＤシステムを用いた入退室管理システムは、実施の形態２及び３に係るものでも適用できることはいうまでもない。
【００９１】
実施の形態１〜３に係るＲＦＩＤシステム及びこのＲＦＩＤシステムを用いた入退室管理システムでは、ＲＦＩＤリーダ１から質問波１αを送信（放射）を開始するタイミングには言及していなかった。仮に、常時、ＲＦＩＤリーダ１から質問波１αを送信（放射）しているとし、かつ、図８（ａ）及び図９（ａ）に記載の模式図において、ＲＦＩＤタグ２を所有する所有者がいなく、ＲＦＩＤタグ２ａを所有する所有者のみがいた場合を検討すると、返信波の衝突が生じないので、ＲＦＩＤタグ２ａを所有する所有者の意思に関わらず、ＲＦＩＤタグ２ａのＩＤ情報を読み取ってしまうことにある。これは、ＲＦＩＤシステムを用いた入退室管理システムでは、ＲＦＩＤタグ２ａのＩＤ情報の記憶部１４に記憶されている定義（設定）に応じて、仕切り部１５が開錠してしまうことなる。入退室管理システムにアンチパスバックシステムを使っていない場合は仕切り部１５を開錠させてもよいが、入退室管理システムにアンチパスバックシステムを導入している場合や入退室管理システムに高いセキュリティレベルが求められている場合は、常時、ＲＦＩＤリーダ１から質問波１αを送信（放射）していることが好ましくない。
【００９２】
そこで、実施の形態４に係るＲＦＩＤシステム及びこのＲＦＩＤシステムを用いた入退室管理システムでは、ＲＦＩＤリーダ１から質問波１αを送信（放射）を開始するタイミング（開始のトリガ）を人感センサ３５によるものとし、入退室管理システムにアンチパスバックシステムを導入している場合や入退室管理システムに高いセキュリティレベルが求められている場合でも好適なものである。すなわち、図２（ａ）（ｂ）にそれぞれ記載されている開始のステップは、人感センサ３５が人を検知した検知信号をリーダ制御部１３（リーダ制御部２３，リーダ制御部３１）と入退室制御部１７とに送ったときに始まるものとなる。詳しく、説明すると、図８（ａ）及び図９（ａ）に示すように、ＲＦＩＤタグ２を所有する所有者が人感センサ３５の感応領域内に入ったときに、ＲＦＩＤリーダ１から質問波１αを送信（放射）される。人感センサ３５の感応領域の設定方法は、入退室管理システムにおいては、ＲＦＩＤタグを所有する所有者が入室（退室）を希望している場合に、確実に位置する場所を目安に設定すればよい。
【００９３】
このように、実施の形態４に係るＲＦＩＤシステム及びこのＲＦＩＤシステムを用いた入退室管理システムは、入退室管理システムにアンチパスバックシステムを導入している場合や入退室管理システムに高いセキュリティレベルが求められている場合においても、実施の形態１〜３において説明した効果を奏するだけでなく、人感センサ（人体検知装置）の感応領域に対応させたＲＦＩＤリーダ１の送信領域（検知範囲）を構築することが困難であっても、人感センサ（人体検知装置）を導入することが容易であるという効果も奏する。
【００９４】
以上、実施の形態１〜４（本願）に係るＲＦＩＤシステム及びこのＲＦＩＤシステムを用いた入退室管理システムは、ＵＨＦ帯及びマイクロ波帯などの高い周波数帯を用いたＲＦＩＤシステムを使用した場合、長距離通信が可能なことから、読み取る必要のないＲＦＩＤタグ（入室又は退出する意志のない人物のＲＦＩＤタグ）まで誤って読み取ってしまう、データ（ＩＤ情報）の誤読を防止することが可能となるという効果を奏する。
【符号の説明】
【００９５】
１・・ＲＦＩＤリーダ、２・・ＲＦＩＤタグ、３・・リーダ送信部、４・・リーダアンテナ部、５・・リーダ方向性結合部、６・・タグ受信部、７・・タグアンテナ部、８・・タグ方向性結合部、９・・タグ制御部、１０・・ＩＤ記憶部、１１・・タグ送信部、１２・・リーダ受信部、１３・・リーダ制御部、１４・・記憶部、１５・・仕切り部、１６・・鍵開閉制御部、１７・・入退室制御部、１８・・報知部、１９・・リーダ送信部、２０・・リーダアンテナ部、２１・・タグ受信部、２２・・タグアンテナ部、２３・・タグ制御部、２４・・タグ送信部、２５・・リーダ受信部、２６・・リーダ制御部、２７・・リーダ送信部、２８・・リーダアンテナ部、２９・・タグ受信部、３０・・タグアンテナ部、３１・・タグ制御部、３２・・タグ送信部、３３・・リーダ受信部、３４・・リーダ制御部、３５・・人感センサ。
【図１】
2012203835.tif 000003
【図２】
2012203835.tif 000004
【図３】
2012203835.tif 000005
【図４】
2012203835.tif 000006
【図５】
2012203835.tif 000007
【図６】
2012203835.tif 000008
【図７】
2012203835.tif 000009
【図８】
2012203835.tif 000010
【図９】
2012203835.tif 000011